(57)【要約】【課題】入出力端子及びランプ端子と節電スイッチ端子及びプラグピンの接続構造を改善して組立工程を単純化させることで、生産性を向上させ、接続力を強化させて、製品の品質を向上させる。【解決手段】入出力端子の接続部をＵ形に曲げ加工し、その側壁に突出部を内側に突設させて節電スイッチ端子と緊密に接続させるとともに、出力端子とランプ端子のプラグピン接続部側壁に突出段を内側に突設して、プラグピンが緊密に密着接続できるようにする。【選択図】図３
0003114144.tif 000002
【実用新案登録請求の範囲】
【請求項１】
コンセント孔の内部にランプ端子と出力端子の接続部が挿入されて、節電スイッチの端子に接続部を介して接続され、入力端子の接続部が節電スイッチの他の端子に接続されて電源の供給を可能にする１１０ボルトコンセントの端子接続構造において、
前記入出力端子（１０）（４）の接続部（１１）（９）がＵ形に屈曲加工されて下側に挟支部（１２）（１３）が形成され、端部に羽部（１５）（１６）が設けられた開口部（１７）（１８）が形成され、側壁中間部に突出部（１９）（２０）が内側に突設されて、節電スイッチ端子（７’）（７”）に形成された通孔（２１）に挿入、支持されることを特徴とする１１０ボルトコンセントの端子接続構造。
【請求項２】
前記出力端子（４）とランプ端子（３）のプラグピン接続部（５’）（５）の側壁に突出段（２４）（２５）が内側に突設されてプラグピンの通孔に挿入されることを特徴とする請求項１に記載の１１０ボルトコンセントの端子接続構造。
【請求項３】
前記ランプ端子（３）の外側に連結部（２７）が形成され、この連結部（２７）の端部にリベット（２８）及びリベット孔（２９）が設けられることにより、前記ランプ端子が延長可能であることを特徴とする請求項１に記載の１１０ボルトコンセントの端子接続構造。
【考案の詳細な説明】
【技術分野】
【０００１】
本考案は１１０ボルトコンセントの端子接続構造に係り、より詳しくは１１０ボルトコンセントの節電スイッチ端子に接続される入出力端子とランプ端子の接続構造の改善に関するものである。
【背景技術】
【０００２】
一般に、一つ又は二つ以上のコンセント孔が形成された１１０ボルトの多孔コンセントにおいて、非使用時にそれぞれのコンセント孔に供給される電源をオフさせて電気を節減するため、それぞれの入出力端子に節電スイッチがそれぞれ連結されている。
【０００３】
このため、従来は、入出力端子の接続部の端部を横に３等分して切断した後、中間部を一側に折り曲げて端子挿入溝を形成し、これに節電スイッチを挿入して接続させた後、接続部を半田づけで固定させる方法が主として使用されてきた。
【０００４】
しかし、このような従来の方法は、入出力端子の接続部の端部を横に３等分して切断した後、中間部を一側に折り曲げて端子挿入溝を形成し、これに節電スイッチを挿入して接続させる一連の作業工程が非常にややこしくて複雑で生産性が低下するため、製品原価が上昇し、製品の品質が低下し、不良発生率が高くなる問題点があった。
【０００５】
また、コンセント孔に挿入されたプラグピンが易く抜き取られるため、電気製品の使用が度々中断される不便さがあった。
【考案の開示】
【考案が解決しようとする課題】
【０００６】
したがって、本考案はこのような従来の１１０ボルトコンセントの端子接続方式が持っている諸般問題点を解消するためになされたもので、その目的は、入出力端子及びランプ端子と節電スイッチ端子及びプラグピンの接続構造を改善して組立工程を単純化させることにより、生産性を向上させ、接続力を強化させて、製品の品質を向上させることにある。
【課題を解決するための手段】
【０００７】
前記のような目的を達成するため、本考案は以下の構成の１１０ボルトコンセント端子接続構造を提供する。
請求項１に係る考案は、コンセント孔の内部にランプ端子と出力端子の接続部が挿入されて、節電スイッチの端子に接続部を介して接続され、入力端子の接続部が節電スイッチの他の端子に接続されて電源の供給を可能にする１１０ボルトコンセントの端子接続構造において、前記入出力端子の接続部がＵ形に屈曲加工されて下側に挟支部が形成され、端部に羽部が設けられた開口部が形成され、側壁中間部に突出部が内側に突設されて、節電スイッチ端子に形成された通孔に挿入、支持されることを特徴とする。
【０００８】
請求項２に係る考案は、請求項１において、前記出力端子とランプ端子のプラグピン接続部の側壁に突出段が内側に突設されてプラグピンの通孔に挿入されることを特徴とする。
【０００９】
請求項３に係る考案は、請求項１において、前記ランプ端子（３）の外側に連結部（２７）が形成され、この連結部（２７）の端部にリベット（２８）及びリベット孔（２９）が設けられることにより、前記ランプ端子が延長可能であることを特徴とする。
【考案の効果】
【００１０】
以上のような本考案による１１０ボルトコンセントの端子接続構造によると、入出力端子及びランプ端子を節電スイッチ端子に接続する構造において、入出力端子の接続部をＵ形に曲げ加工し、その側壁に突出部を内側に突設させて節電スイッチ端子と緊密に接続させるとともに、出力端子とランプ端子のプラグピン接続部側壁に突出段を内側に突設して、プラグピンが緊密に密着接続できるようにすることにより、入出力端子及びランプ端子が節電スイッチ端子及びプラグピンとより容易に組み立てられるので、接続力が大幅強化して製品の品質向上に寄与する効果がある。
【考案を実施するための最良の形態】
【００１１】
以下、本考案の好ましい実施例を添付図面に基づいて詳細に説明する。
図１は本考案による１１０ボルトコンセントの外形を示す斜視図である。同図に示すように、本発明は、１口又は２口以上の多口コンセントのいずれにも適用可能であり、多数のコンセント孔１、１’に節電スイッチ２がそれぞれ設けられ、使用しないコンセント孔１、１’の電源を節電スイッチ２でオフさせて、電気を節減するように構成される。
【００１２】
図２は本考案による端子接続状態を示すコンセントの内部平面図、図３は同部分斜視図、図４ａ、図４ｂ、図５ａ、図５ｂ、図５ｃ、図５ｄ、及び図６は本考案による入出力端子及びランプ端子の拡大図である。
【００１３】
前記コンセント孔１、１’の内部に、ランプ端子３と出力端子４の接続部５、５’が挿入され、この接続部５、５’は節電スイッチ２の端子７、７’に接続部８、９を介して接続され、入力端子１０の接続部１１が節電スイッチ２のほかの端子７”に接続されて電源の供給を可能にする。
【００１４】
前記入出力端子１０、４の接続部１１、９はＵ形に屈曲加工され、その端部に挟支部１２、１３が形成され、下端に羽部１５、１６が設けられて開口部１７、１８をなし、側壁中間に突出部１９、２０が内側に突設されて、節電スイッチ端子７”、７’に形成された通孔２１に挿入、支持されている。
また、前記接続部９の端部には、補強リブ２２が形成されている。
【００１５】
前記出力端子４とランプ端子３の他端部にはプラグピン接続部５’、５が設けられる。このプラグピン接続部５’、５の側壁には内側壁には突出段２４、２５が内側に突設されて、プラグピンの通孔に挿入されるようになっている。
【００１６】
前記ランプ端子３の外側には連結部２７が形成され、その端部にリベット２８とリベット孔２９が設けられるので、ランプ端子を連結して延長させることができる。
【００１７】
このように構成された本考案による１１０ボルトコンセントの端子接続構造は、入出力端子１０、４の節電スイッチ端子７”、７’への接続において、節電スイッチ端子７”、７’に入出力端子１０、４の接続部１１、９を結合すると、節電スイッチ端子７”、７’が接続部１１、９の開口部１７、１８を通して挟支部１２、１３に密着状態に差し込まれるので、組立工程を簡素化して生産性をかなり向上させる。
【００１８】
この際、前記接続部１１、９の内側壁の中間に内側に突設された突出部１９、２０が節電スイッチ端子７”、７’の通孔２１に挿入、支持されるので、接続部１１、９を節電スイッチ端子７”、７’に確かに接続することができる。
【００１９】
そして、前記出力端子４とランプ端子３の他端部にはプラグピン接続部５’、５が設けられ、その側壁に内側に突設された突出段２４、２５がプラグピンの通孔に挿入されるので、コンセント孔１’、１に挿入されたプラグピンがなかなか抜き取られなくて、接続力が大きく強化される効果がある。
【００２０】
また、前記ランプ端子３の連結部２７の端部に設けられたリベット２８をリベット２９に挿入しリベット加工することにより、ランプ端子３を長く連結して、４口、５口、６口などの多口コンセントに広範囲に適用することができる。
【図面の簡単な説明】
【００２１】
【図１】本考案による１１０ボルトコンセントの外形を示す斜視図である。
【図２】本考案による端子接続状態を示すコンセント内部平面図である。
【図３】本考案による端子接続構造の部分斜視図である。
【図４】（ａ）は本考案による入力端子の拡大斜視図、（ｂ）は（ａ）の平面図である。
【図５】（ａ）は本校案による出力端子の拡大斜視図、（ｂ）は（ａ）の一測接続部の平面図、（ｃ）は（ａ）の他側接続部の正面図、（ｄ）は（ａ）の他側接続部の側面図である。
【図６】本考案によるランプ端子の拡大斜視図である。
【符号の説明】
【００２２】
１、１’      コンセント孔
２            節電スイッチ
３            ランプ端子
４            出力端子
５、５’      接続部
７、７’、７”  端子
８、９        接続部
１０            入力端子
１１            接続部
１２、１３      挟支部
１５、１５      羽部
１７、１８      開口部
２２            補強リブ
２４、２５      突出段
２７            連結部
２８            リベット
２９            リベット孔
【図１】
0003114144.tif 000003
【図２】
0003114144.tif 000004
【図３】
0003114144.tif 000005
【図４】
0003114144.tif 000006
【図５】
0003114144.tif 000007
【図６】
0003114144.tif 000008